(57)【特許請求の範囲】
【請求項１】
ソケット本体に列設されていて、ソケット本体内に装填された電気部品のリードに弾圧接触し、ソケット本体に上下動可能に装架されたカバーの下降運動に連動して上記リードとの接触を解除される接触部を有するＩＣソケット用コンタクトピンにおいて、上記接触部には、上記リードの上側面に摺接すべき弧状接触端と、該弧状接触端より先端部に向かって延びた直線状縁部とが形成され、該直線状縁部を、上記弧状接触端が上記リードの端縁の上側面に乗り上がるように上記リードの上側面に対し斜めに形成したことを特徴とするＩＣソケット用コンタクトピン。
【発明の詳細な説明】
【０００１】
【発明の属する技術分野】
本発明は、ＩＣパッケージ等の電気部品の検査や実装に用いられるＩＣソケットに組み込まれるコンタクトピンの形状に関するものである。
【０００２】
【従来の技術】
図３は従来周知のＩＣソケットの一例を示す左半分破断側面図であるが、図中、１は垂直方向に貫通した案内溝１ａと載置台１ｂを有する平面形状が矩形をなすソケット本体、２は案内溝１ａに摺動可能に嵌挿されたピラー２ａと、後述するコンタクトピンの一部と摺接するカム２ｂを有する左右対称の枠形をなすカバー、３はカバー２に上方移動習性を付与するスプリング、４は接触部４ａと、カバー２のカム２ｂに摺接する被動部４ｂと、円弧状のばね部４ｃと、ソケット本体１に形成された多数の絶縁リブ間に介装された基部４ｄと、ソケット本体に穿設された孔に挿通固定された接続端子部４ｅとを有するコンタクトピン、Ｐは装填時ソケット本体１の載置台１ｂ上に載置されてコンタクトピン４の接触部４ａと接触するリードＬを有するＩＣパッケージ等の電気部品である。なお、カバー２は、ソケット本体１との間に設けられた図示しない係止機構により、上方移動が図示の位置に制限されるように構成されている。
【０００３】
そして、電気部品Ｐの図示位置への装填及び図示位置からの取り出しは、カバー２をスプリング３に抗して押し下げることにより行われる。即ち、図示位置からカバー２を押し下げると、カム２ｂはばね部４ｃの弾力に抗して被動部４ｂを鎖線位置まで外方へ変位させ、同時に接触部４ａも鎖線位置まで外方へ移動して、電気部品ＰのリードＬが占めるべき位置から退避する。この外方への退避運動は、図示しないがコンタクトピン４と対称に配置された右側のコンタクトピンにおいても行われるから、この状態で電気部品Ｐを載置台１ｂ上へ挿入するか或いは載置台１ｂから取り出すことが可能となる。その後、カバー２の押圧を解除することにより、コンタクトピン４は自己の習性により実線位置へ復帰し、電気部品Ｐの装填又は取り出しが完結する。
【０００４】
【発明が解決しようとする課題】
ところで、この種のＩＣソケットにおいては、コンタクトピン４の接触部４ａと電気部品ＰのリードＬとの接触安定性を向上させるために、装填時、接触部４ａをリードＬ上で摺動させる所謂ワイピングが必要となる。このワイピングを大きくするためには、カバー２の押圧解除時におけるコンタクトピン接触部４ａのリードＬに対する進入角θ（図４）を、出来るだけ小さくすることが必要となる。しかしながら、従来、この進入角を小さくすると、コンタクトピン接触部４ａがリードＬの端面に引っ掛り（図４参照）、接触部４ａがリードＬ上に円滑に着座しないという事態が起こることがあった。
【０００５】
本発明は、従来のＩＣソケットにおけるこのような問題点に鑑みてなされたものであり、その目的とするところは、電気部品の装填時、コンタクトピン接触部が電気部品のリード上に常に円滑に乗り上り、十分なワイピングが行われ得るようにしたＩＣソケット用コンタクトピンを提供しようとするものである。
【０００６】
上記目的を達成するために、本発明によるＩＣソケット用コンタクトピンは、ソケット本体に列設されていて、ソケット本体内に装填された電気部品のリードに弾圧接触し、ソケット本体に上下動可能に装架されたカバーの下降運動に連動して上記リードとの接触を解除される接触部を有するＩＣソケット用コンタクトピンにおいて、上記接触部には、上記リードの上側面に摺接すべき弧状接触端と、該弧状接触端より先端部に向かって延びた直線状縁部とが形成され、該直線状縁部を、上記弧状接触端が上記リードの端縁の上側面に乗り上がるように上記リードの上側面に対し斜めに形成したことを特徴としている。
【０００７】
【発明の実施の形態】
図１は本発明の実施の形態を示すコンタクトピン接触部の一実施例の側面図である。図中、従来例と同様の部材及び部分には従来例で用いたのと同じ符号が付されている。この実施例によれば、接触部４ａには、電気部品ＰのリードＬの上側面に摺接すべき弧状接触端４ａ1 より先端部に向って延びた直線状縁部４ａ2 が形成されていて、この直線状縁部４ａ2 は、カバー２が一杯に押し下げられた時破線で示す位置を占め、載置台１ｂ上の所定位置に電気部品Ｐが載置されてカバー２の押圧が解除されリードＬの端縁の上側角部Ｌ1 に当接した時（実線図示）、リードＬの上側面に乗り上るように該上側面に対し角度αをなすように斜めに形成されている。
【０００８】
本実施例によるコンタクトピン接触部４ａは上記のように形成されているから、電気部品Ｐの装填が終ってカバー２の押圧が解除されると、コンタクトピン４は自己の習性により破線位置から実線位置を経てリードＬの上側面上に乗り上り、該上側面をワイピングしながら鎖線位置に達して停止する。従って、コンタクトピン接触部４ａはリードＬの端面に引っ掛るようなことがなく、接触部４ａの弧状接触端４ａ1 とリードＬとの電気的接続は確実且つ安定に行われる。
【０００９】
これを図２を参照し、具体例に基づき詳細に説明すると、仮に、進入角θ＝２０゜、動摩擦係数μ＝０．３、接触圧力４０ｇ、コンタクトピン先端テーパー角α＝３５゜と設定し、進入力をＦ、コンタクトピン先端テーパー角方向分力をＦ１、分力Ｆ１と直交する方向の分力をＦ２、進入角をθ、コンタクトピン先端テーパー角をα、コンタクトピンに係る垂直反力をＮとした場合、
Ｆ１＝Ｆ（ｃｏｓ（α＋θ））
Ｆ２＝Ｆ（ｃo s（９０−（α＋θ）））＝Ｎ
であるから、
Ｆ１＝４０・（ｃｏｓ（３５＋２０））＝２２．９４３
Ｎ＝Ｆ２＝４０・（ｃo s（９０−（３５＋２０）））＝３２．７６６となる。
ここで動摩擦係数μ及びコンタクトピンテーパー角上の釣り合い式を考えると、
Ｆ１＞μＮ                        ・・・・  （１）
となれば、コンタクトピンは上方向へ滑ることになる。
即ち、上記計算値から、
Ｆ１＝２２．９４３
μＮ＝０．３×３２．７６６＝９．８２
となるから、条件（１）を満たしており、コンタクトピン先端テーパー角α＝３５゜の時には、コンタクトピンは上方向へ滑ることがわかる。
【００１０】
実施例では、内方移動習性を有するコンタクトピンについて説明したが、本発明はこれに限定されるものではなく、外方移動習性を有するコンタクトピンに適用できることは言うまでもない。
【００１１】
【発明の効果】
上述のように本発明によれば、ＩＣソケットへの電気部品の装填時、コンタクトピン接触部が電気部品のリード上に常に円滑に乗り上り、十分なワイピングが行われて、リードとの確実且つ安定した電気的接続が行われ得るＩＣソケット用コンタクトピンを提供することができる。
【図面の簡単な説明】
【図１】本発明に係るＩＣソケット用コンタクトピンの一実施例の作動を説明するための要部側面図である。
【図２】本発明に係るＩＣソケット用コンタクトピンの作動解析図である。
【図３】従来のＩＣソケットの一例を示す半分断面側面図である。
【図４】図３に示したＩＣソケットに組み込まれたコンタクトピンの作動を説明するための要部側面図である。
【符号の説明】
１        ソケット本体
２        カバー
３        スプリング
４        コンタクトピン
４ａ      接触部
４ａ1     弧状接触端
４ａ2     直線状縁部
４ｂ      被動部
４ｃ      ばね部
４ｄ      基部
４ｅ      接続端子部
Ｐ        電気部品
Ｌ        リード
Ｌ1       リードの端縁の上側角部
【図１】
0003669038.tif 000002
【図２】
0003669038.tif 000003
【図３】
0003669038.tif 000004
【図４】
0003669038.tif 000005